(57)【要約】【課題】液体密封紙容器の低温保存時や酸化による容器胴痩せ現象を防止して、容器の変形を目立たなくさせ、容器の外観を良好に保持することにある。【解決手段】底部を形成する円形状の底板４の周縁と胴部を形成する筒状の胴板３の下縁３ｂとを底板４の下方に向けて共締めし、天部を形成する円形状の天板２の周縁と胴部を形成する筒状の前記胴板３の上縁３ａとを天板２の上方に向けて共締めし、且つ前記天板２にはプルタブシート６により覆われた飲み口部５を有する液体を密封包装した液体密封紙容器１において、前記底板４がその中央部に窓孔１１ａを孔設した紙基材１１と柔軟性プラスチックフィルム１２、１３との積層シートにより形成され、前記窓孔相当部の柔軟性プラスチックフィルムが容器内方に向かい凹陥状を呈して容器内に生じる負圧を吸収する負圧吸収機能４ｂを備えている。【選択図】図１
2004083070.tif 000002
【特許請求の範囲】
【請求項１】
底部を形成する円形状の底板の周縁と胴部を形成する筒状の胴板の下縁とを底板の下方に向けて共締めし、天部を形成する円形状の天板の周縁と胴部を形成する筒状の前記胴板の上縁とを天板の上方に向けて共締めし、且つ前記天板にはプルタブシートにより覆われた飲み口部を有する液体を密封包装した液体密封紙容器において、前記底板がその中央部に窓孔を孔設した紙基材と柔軟性プラスチックフィルムとの積層シートにより形成され、前記窓孔相当部の柔軟性プラスチックフィルムが容器内方に向かい凹陥状を呈して容器内に生じる負圧を吸収する負圧吸収機能を備えていることを特徴とする液体密封紙容器。
【請求項２】
請求項１に記載の液体密封紙容器において、前記積層シートの柔軟性プラスチックフィルムが、前記紙基材の容器外面側又は内面側のいずれか一面側に積層されていることを特徴とする液体密封紙容器。
【請求項３】
請求項１に記載の液体密封紙容器において、前記積層シートの柔軟性プラスチックフィルムが、前記紙基材の容器内面側と外面側とに積層されていることを特徴とする液体密封紙容器。
【発明の詳細な説明】
【０００１】
【発明の属する技術分野】
本発明は、ジュースなどの液体飲料をはじめとする各種液体包装用の液体密封紙容器に関し、特に胴部の痩せ変形を防止した液体密封紙容器に関する。
【０００２】
【従来の技術】
一般にジュースなどの液体飲料を包装した液体密封紙容器としては、図３（ａ）の斜視図に示すような円筒状の液体密封紙容器１があり、構造としては、図３（ｂ）の側断面図に示すように、底部を形成する円形状の底板４の周縁４ａと、胴部を形成する筒状の胴板３の下縁３ｂとを、底板４の下方に向けて共締め部７にて共締めし、天部を形成する円形状の天板２の周縁２ａと、胴部を形成する筒状の前記胴板３の上縁３ａとを、天板２の上方に向けて共締め部８にて共締めするとともに、前記天板２には易剥離可能な接着剤６ａを用いて貼着したプルタブシート６により覆われ密封シールされた飲み口部５を備えたものである。
【０００３】
【発明が解決しようとする課題】
図３（ｂ）に示すように、液体飲料Ｌを充填密封した上記液体密封紙容器１の内部には、空間部としてヘッドスペースＳが有り、保管や輸送のため、あるいは販売のために、倉庫、トラック、あるいはショーケースや自動販売機等に収納して容器１を冷蔵した際に、ヘッドスペースＳ内の空気が冷やされて収縮し、容器１の内圧が負圧の方向に移行してバキューム現象が発生し、そのために、容器１の胴部を形成している胴板３部分が、図３（ａ）〜（ｂ）に示すように、点線で示すように凹み、胴痩せ現象による容器変形が発生して外観的に悪影響を与える場合があった。
【０００４】
また、液体密封紙容器１への液体の初期充填封入時において、ヘッドスペースＳに酸素が混入する場合があり、この酸素が、密封包装された内容液に対する酸化反応により消費されて、容器１の内圧が負圧の方向に移行してバキューム現象が発生し、胴痩せ現象による容器変形が発生する場合もある。
【０００５】
本発明の課題は、上記のような液体密封紙容器の低温保存時や酸化による容器胴痩せ現象を防止して、容器の変形を目立たなくさせ、容器の外観を良好に保持することにある。
【０００６】
【課題を解決するための手段】
本発明の請求項１に係る発明は、底部を形成する円形状の底板の周縁と胴部を形成する筒状の胴板の下縁とを底板の下方に向けて共締めし、天部を形成する円形状の天板の周縁と胴部を形成する筒状の前記胴板の上縁とを天板の上方に向けて共締めし、且つ前記天板にはプルタブシートにより覆われた飲み口部を有する液体を密封包装した液体密封紙容器において、前記底板がその中央部に窓孔を孔設した紙基材と柔軟性プラスチックフィルムとの積層シートにより形成され、前記窓孔相当部の柔軟性プラスチックフィルムが容器内方に向かい凹陥状を呈して容器内に生じる負圧を吸収する負圧吸収機能を備えていることを特徴とする液体密封紙容器である。
【０００７】
本発明の請求項２に係る発明は、上記請求項１に係る液体密封紙容器において前記積層シートの柔軟性プラスチックフィルムが、前記紙基材の容器外面側又は内面側のいずれか一面側に積層されていることを特徴とする液体密封紙容器である。
【０００８】
本発明の請求項３に係る発明は、上記請求項１に係る液体密封紙容器において前記積層シートの柔軟性プラスチックフィルムが、前記紙基材の容器内面側と外面側とに積層されていることを特徴とする液体密封紙容器である。
【０００９】
【発明の実施の形態】
本発明の液体密封紙容器の実施の形態を、図面に基づいて以下に詳細に説明すれば、図１（ａ）は本発明の液体密封紙容器１の側断面図であり、底部を形成する円形状の底板４の周縁４ａと、胴部を形成する筒状の胴板３の下縁３ｂとが、底板４の下方に向けて共締め部７にて共締めされている。
【００１０】
また、天部を形成する円形状の天板２の周縁２ａと、胴部を形成する筒状の前記胴板３の上縁３ａとが、天板２の上方に向けて共締め部８にて共締めされている。
【００１１】
前記天板２には、易剥離可能な接着剤６ａを用いて貼着したプルタブシート６により覆われ密封シールされた飲み口部５が設けられている。
【００１２】
図１（ａ）の側断面図に示すように、本発明の液体密封紙容器１の底部を形成している底板４は、積層シートにより形成されていて、天板２、胴板３と同様の紙材料を用いた紙基材１１と、その紙基材１１の底板４の中央部に相当する領域には、窓孔１１ａが設けられていて、その紙基材１１の容器外面側と内面側のいずれか一方面側には柔軟性プラスチックフィルム１２（容器外装フィルム）又は柔軟性プラスチックフィルム１３（容器内装フィルム）が積層され、又は両方面側には柔軟性プラスチックフィルム１２と柔軟性プラスチックフィルム１３が積層された積層シートが用いられている。
【００１３】
図１（ａ）の側断面図、図１（ｂ）の底面図に示すように、底板４の中央部には、底板４を形成する紙基材１１の片面側又は両面側に形成した柔軟性プラスチックフィルム１２又は柔軟性プラスチックフィルム１３、あるいは柔軟性プラスチックフィルム１２と柔軟性プラスチックフィルム１３とによる柔軟性領域４ｂが形成されている。
【００１４】
このように、本発明の液体密封紙容器１の底部を形成している前記底板４は、その中央部に窓孔１１ａを孔設した紙基材１１と、柔軟性プラスチックフィルム１２、１３のいずれか一方のフィルム又は両方のフィルムとの積層シートにより形成されており、冷蔵時など低温保存時や、内容液の初期封入時に容器１内に混入する酸素の酸化反応による消費により、容器１内に負圧が発生した際には、前記窓孔１１ａ相当部の前記柔軟性プラスチックフィルムによる前記柔軟性領域４ｂは、容器１の内方に向かって凹陥状を呈し、その容器１内に生じた負圧を吸収する負圧吸収機能を備えている。
【００１５】
図２は、底部を形成する底板４に用いる底板用部材１０の一例を示す側断面図であり、円形状の紙基材１１の中央部には窓孔１１ａが形成され、該紙基材１１の両面に、それぞれ柔軟性プラスチックフィルム１２、１３が、適宜接着剤を用いて積層ラミネートされている。
【００１６】
また、紙基材１１の表裏より前記窓孔１１ａ相当部に積層されている柔軟性プラスチックフィルム１２、１３は互いに接着されている。
【００１７】
前記底板用部材１０を構成する紙基材１１には、坪量１６０〜３００ｇ／ｍ２　の用紙（例えば、カップ原紙、ノンコートアイボリー紙など）が用いられ、柔軟性プラスチックフィルム１２、１３には、ポリエチレンフィルム、ポリエチレンテレフタレートフィルム、バリア性フィルム（酸化アルミニウム、酸化珪素など無機酸化物の蒸着層を備えたフィルム）などが用いられる。
【００１８】
本発明の液体密封紙容器の底部に使用される底板用部材１０の具体的な積層構成例を以下に示す。
（容器外面）外装フィルム１２／紙基材１１／内装フィルム１３（容器内面）
（容器外面）外装フィルム１２／紙基材１１／接着層／内装フィルム１３（容器内面）
上記外装フィルム１２としては、ポリエチレンフィルム（厚さ２０〜４０μｍ）が使用でき、上記紙基材１１としては、窓孔１１ａを貫設したカップ原紙（坪量１６０〜３００ｇ／ｍ２　）が使用でき、上記内装フィルム１３としてはバリア性フィルムが使用できる。
【００１９】
上記バリア性フィルムとしては、下記積層構成のフィルムが使用できる。
ポリエチレンフィルム（厚さ１５〜２５μｍ）／ポリエチレンテレフタレートフィルム（厚さ５〜３０μｍ）／無機酸化物蒸着層／ポリエチレンテレフタレートフィルム（厚さ１２μｍ）／ポリエチレンフィルム（厚さ３０〜６０μｍ）
【００２０】
上記接着層としては、加熱溶融押し出しにてコーティングしたサンドポリエチレン（厚さ２０〜４０μｍ）が使用できる。
【００２１】
【発明の効果】
本発明の液体密封紙容器は、容器底部を形成している底板に、その中央部に窓孔を孔設した紙基材と柔軟性プラスチックフィルムとの積層シートが用いられ、冷蔵時など低温保存時や、内容液の初期封入時に容器内に混入する酸素の酸化反応による消費により、容器内に負圧が発生した際は、前記底板の窓孔相当部の柔軟性プラスチックフィルムによる柔軟性領域が、容器の内方に向かって凹陥状を呈するため、容器内に生じた負圧を吸収することができる。
【００２２】
そのため、本発明の液体密封紙容器に液体飲料を充填密封して、保管や輸送のため、あるいは販売のために倉庫、トラック、あるいはショーケースや自動販売機等に収納して冷蔵した際に、容器内部のヘッドスペース内の空気が冷やされて収縮し、容器の内圧が負圧の方向に移行してバキューム現象が発生しても、底板窓孔相当部の柔軟性プラスチックフィルムによる柔軟性領域が容器の内方に向かって凹陥状を呈して、容器の胴部を形成している胴板部分に、凹みや胴痩せ現象による容器変形の発生を防止できる。
【００２３】
また、液体密封紙容器への液体の初期充填封入時においてヘッドスペースに混入した酸素が、密封包装された内容液に対して酸化反応により消費され、容器の内圧が負圧の方向に移行してバキューム現象が発生しても、底板窓孔相当部の柔軟性プラスチックフィルムによる柔軟性領域が容器の内方に向かって凹陥状を呈して、胴痩せ現象による容器変形の発生を防止することができ、筒状容器の変形を目立たなくさせ、容器の外観を良好に保持する効果がある。
【図面の簡単な説明】
【図１】（ａ）は本発明の液体密封紙容器の側断面図、（ｂ）はその底面図。
【図２】本発明の液体密封紙容器の底部に使用する底板用部材の積層断面図。
【図３】（ａ）は従来の液体密封紙容器の外観斜視図、（ｂ）はその側断面図。
【符号の説明】
１…液体密封紙容器　２…天板　２ａ…周縁　３…胴板　３ａ…上縁
３ｂ…下縁　４…底板　４ａ…周縁　４ｂ…柔軟性領域　５…飲み口部
６…プルタブシート　６ａ…易剥離接着剤　７、８…共締め部
１０…底板用部材　１１…紙基材　１１ａ…窓孔
１２、１３…柔軟性プラスチックフィルム
Ｌ…内容液　Ｓ…ヘッドスペース
【図１】
2004083070.tif 000003
【図２】
2004083070.tif 000004
【図３】
2004083070.tif 000005